(57)【要約】  眼（３）の上に配置されるように適合された本体（２）、および本体（２）の中に形成された、薬剤を含むリザーバ（７）を備える薬剤送達デバイス（１）について記載する。本体（２）は、第１の表面（４）が眼（３）の少なくとも一部分と接触し、角膜を囲んで中心に位置するように適合される。第１の表面（４）の上には、少なくとも１つの突出部（５）が形成される。突出部（５）は、リザーバ（７）から突出部（５）の終端部まで薬剤用の流体流路を作成するように適合されたチャネル（６）を含む。
2014523305.tif 000002
【特許請求の範囲】
【請求項１】
眼（３）の上に配置するように適合され、第１の表面（４）が眼（３）の少なくとも一部分と接触し、角膜を囲んで中心に位置するように適合された本体（２）；
本体（２）の中に形成された、薬剤を含むリザーバ（７）；および
リザーバ（７）から突出部（５）の終端部まで薬剤用の流体流路を作成するように適合されたチャネル（６）を含む、第１の表面（４）の上に作成された少なくとも１つの突出部（５）：
を備える薬剤送達デバイス（１）。
【請求項２】
本体（２）は、形がコンタクト・レンズに似た材料の成形部材または鋳造部材である請求項１に記載の薬剤送達デバイス（１）。
【請求項３】
本体（２）は、シリコーン・ヒドロゲルで作られる請求項１または２に記載の薬剤送達デバイス（１）。
【請求項４】
突出部（５）は、本体（２）と一体的に形成される請求項１〜３のいずれか１項に記載の薬剤送達デバイス（１）。
【請求項５】
突出部（５）は、金属で作られる請求項１〜３のいずれか１項に記載の薬剤送達デバイス（１）。
【請求項６】
薬剤は、タンパク質、抗体またはステロイドである請求項１〜５のいずれか１項に記載の薬剤送達デバイス（１）。
【請求項７】
本体（２）は可撓性の材料から作られ、突出部（５）は、可撓性本体の変形によって作動可能になる請求項１〜６のいずれか１項に記載の薬剤送達デバイス（１）。
【請求項８】
突出部（５）は、手の力によって作動可能になる請求項１〜７のいずれか１項に記載の薬剤送達デバイス（１）。
【請求項９】
薬剤は、本体（２）の手動変形によって投薬される請求項７または８に記載の薬剤送達デバイス（１）。
【請求項１０】
薬剤は、板ばねによって投薬される請求項７または８に記載の薬剤送達デバイス（１）。
【請求項１１】
薬剤は圧力下でリザーバ（７）の中に収容され、薬剤は流体圧力によって投薬される請求項７または８に記載の薬剤送達デバイス（１）。
【発明の詳細な説明】
【技術分野】
【０００１】
本発明は、薬剤送達デバイス、詳細には、眼内注射用の薬剤送達デバイスに関する。
【背景技術】
【０００２】
薬剤を眼の内部の硝子体に送達するとき、注射は、眼の他の構造の損傷を避け、薬剤を適当な構造／領域に送達することを目標にするように計画される。従来、両方の目的には、医師または医療提供者の手先の器用さによって対応している。医師／医療提供者は、送達デバイスを挿入する前に、注射部位に印を付けることもできる。
【０００３】
特許文献１は、患者に眼瞼を通して眼のための薬剤の送達を行うデバイスを開示している。しかしながら、この知られているデバイスは、眼内注射に適していない。
【０００４】
したがって、薬剤の眼内注射を容易にする手段が求められている。
【先行技術文献】
【特許文献】
【０００５】
【特許文献１】米国特許出願公開第２００６／００３４８９０Ａ１号
【発明の概要】
【発明が解決しようとする課題】
【０００６】
本発明の目的は、医師または医療提供者としては手先の器用さの要求が緩和され、眼内注射の処置を実施する所要時間が短縮され、かつ合併症の可能性を低下させる薬剤送達デバイスを提供することである。
【課題を解決するための手段】
【０００７】
例示的な実施形態において、薬剤送達デバイスは、眼の上に配置されるように適合された本体、および本体の中に形成された、薬剤を含むリザーバを備える。
【０００８】
本体は、第１の表面が眼の少なくとも一部分と接触し、角膜を囲んで中心に位置するように適合される。第１の表面の上には、少なくとも１つの突出部が形成される。突出部は、リザーバから突出部の終端部まで薬剤用の流体流路を作成するように適合されたチャネルを含む。
【０００９】
例示的な実施形態において、本体は、形がコンタクト・レンズに似た材料の成形部材または鋳造部材である。本体は、シリコーン・ヒドロゲルで製造することができる。
【００１０】
例示的な実施形態において、突出部は本体と一体的に形成される。突出部は金属で製造することができる。
【００１１】
薬剤は、タンパク質、抗体またはステロイドとすることができる。
【００１２】
例示的な実施形態において、本体は可撓性の材料から作られ、突出部は、可撓性本体の変形によって作動可能になる。例えば突出部は、手の力によって作動可能になる。薬剤は、本体の手動変形または板ばねによって投薬することができる。
【００１３】
例示的な実施形態において、薬剤は圧力下でリザーバの中に収納され、薬剤は流体圧力によって投薬することができる。
【００１４】
以下では、本発明を、説明のための例示的な実施形態によって概略図を参照しながら記述する。
【図面の簡単な説明】
【００１５】
【図１】本発明の例示的な実施形態による、薬剤送達デバイスの断面図である。
【図２】本発明の例示的な実施形態による、薬剤送達デバイスの断面図である。
【図３】図２の本発明の薬物送達デバイスの例示的な実施形態による、薬剤送達デバイスの等角図である。
【発明を実施するための形態】
【００１６】
図１〜図３は、薬剤の眼内注射に適合させた薬剤送達デバイス１の例示的な実施形態を示す。例示的な実施形態において、デバイス１は、ヒトの眼３の上に配置するように適合された本体２を備える。本体２は、一部分が眼３と接触可能な第１の表面４、および少なくとも部分的に第１の表面４を覆う第２の表面を有する。第１の表面４は、眼３の輪郭に対応する湾曲を備えることができる。例えば、第１の表面４の周縁は、眼３の角膜を取り囲むように適合させることができ、第１の表面４の中心部は、角膜を包むこと（例えば、接触または非接触）ができる。したがって、例示的な実施形態において、第１の表面４は、コンタクト・レンズのような形およびサイズとすることができ、それにより、デバイス１は、第１の表面４の形状により、眼３の上に配置されたとき、角膜を覆って中心に置かれるようにそれ自体を位置合わせする。
【００１７】
第１の表面４は、成型部材またはキャスト部材として、任意の適切な材料（例えばシリコーン・ヒドロゲル）から製造することが可能であることが当業者には理解されるであろう。さらに第１の表面４は、その変形を可能にするように可撓性にすることができる。本体２には、透明または半透明の材料を使用することが好ましい場合がある。第１の表面４は、円形もしくは卵形、またはデバイス１の眼３の上での配置および／もしくは安定、ならびに／もしくは薬剤の投与を容易にする任意の他の形とすることができる。
【００１８】
図１の例示的な実施形態に示すように、本体２は、薬剤用のリザーバとして働く空洞７を含むことができる。リザーバ７は、製造中に、薬剤、例えば黄斑変性症の治療に使用されるステロイドおよび／またはモノクロナール抗体で予め充填することができる。他の例示的な実施形態では、リザーバ７を薬剤または（例えば、治療プロトコルにおいて様々な薬剤を使用する場合には）他の薬剤で再充填するためのリザーバ７への進入路を提供するポートを、本体２の上に配設することができる。
【００１９】
例示的な実施形態では、１つまたはそれ以上の突出部５が、第１の表面４から眼３の方向に突出する。例示的な実施形態では、突出部５を第１の表面４の周縁上に形成することができる。突出部５は、内部に形成されたチャネル６を有する円筒形部材として形成することができる。チャネル６は、第１の端部でリザーバ７に連結され、第２の端部の開口部で終わる。第２の端部は、眼３への貫入を容易にする箇所に形成することができる。突出部５は、本体２と一体成形されたものとして図示してあるが、突出部５を、金属または本体２を構成するのに使用される材料とは異なる他の材料から形成することが可能であることが、当業者には理解されるであろう。
【００２０】
使用の際、薬剤送達デバイス１は眼３の上に配置される。第１の表面４の湾曲によって、本体２自体が、眼３の角膜と共に中心に位置することができる。本体２が中心に位置するときには、突出部５が眼３に貫入することができるように、本体２を眼３に押し付けることが可能である。さらに、例示的な実施形態では、突出部５の本体２に対する、したがって眼３に対する決まった位置によって、突出部５が眼３に貫入する角度の制御を可能にし、薬剤が逆流する可能性を最小限に抑え、手術後の穿刺部位の治癒の速度および質を全体的に改善する。
【００２１】
突出部５の眼３への貫入（作動）は、様々な方法によって実施することができる。突出部５は、例えば本体２の変形または手の力によって眼３に貫入させることができる。本体２を緩めると、または手の力を除くと、突出部５は図に示すその開始位置に戻ることができる。
【００２２】
例示的な実施形態では、本体２が眼３の上に配置され、突出部５が眼３に導入された後、手による本体２の変形、または板ばねなどのいくつかの機械的手段（図示せず）によって、薬剤をリザーバ７から投薬することができる。他の例示的な実施形態では、圧力下でリザーバ７の中に薬剤を収納することによって、薬剤を投薬することができる。この例示的な実施形態では、本体２を眼３の上に配置すると、チャネル６内の栓が溶解可能になる。したがって薬剤は、薬剤の流体圧力によって投薬することができる。
【００２３】
薬剤送達デバイス１の本体２は、眼３に合うように凸形状を有するものとして図示してあるが、他の例示的な実施形態では、本体２を環として形成することが可能である。
【符号の説明】
【００２４】
１  薬剤送達デバイス
２  本体
３  眼
４  第１の表面
５  突出部
６  チャネル
７  空洞
【図１】
2014523305.tif 000003
【図２】
2014523305.tif 000004
【図３】
2014523305.tif 000005
【国際調査報告】
2014523305.tif 000006
2014523305.tif 000007